(57)【要約】【課題】瓦下の空間部における通気を可能にした瓦屋根における袖瓦設置部構造を提供することを課題とする。【解決手段】下葺き材１の端縁から破風板２の上面にかけて、幅方向に通気可能な棒状の通気部材３が定着され、通気部材３に沿って袖瓦６が配設されて成る。通気部材３は少なくとも設置時に外方側となる外方側通気開口面４が下向きの斜面にされていて、長さ方向端面が逆台形状を呈し且つ外方側通気開口面４が破風板２より外に出るように配置され、袖瓦６は、その垂れ６ａの内側面と破風板２との間に通気間隙９が形成されるようにして通気部材３及び下葺き材１を介して垂木１３にに固定されることにより、瓦下の空間部１１が通気部材３及び通気間隙９を介して大気に連通可能となる。【選択図】図２
2019044492.tif 000002
【特許請求の範囲】
【請求項１】
下葺き材の端縁から前記下葺き材に設置される破風板の上面にかけて、幅方向に通気可能な棒状の通気部材が定着され、前記通気部材に沿って袖瓦が配設されて成り、
前記通気部材は少なくとも設置時に外方側となる外方側通気開口面が下向きの斜面にされていて、長さ方向端面が逆台形状を呈し且つ前記外方側通気開口面が前記破風板より外に出るように配置され、前記袖瓦は、その垂れの内側面と前記破風板との間に通気間隙が形成されるようにして前記通気部材及び前記下葺き材を介して垂木に固定されることにより、瓦下の空間部が前記通気部材及び前記通気間隙を介して大気に連通可能となっていることを特徴とする瓦屋根における袖瓦設置部構造。
【請求項２】
前記袖瓦は垂れを備えた一体型袖瓦である、請求項１に記載の瓦屋根における袖瓦設置部構造。
【請求項３】
前記袖瓦は、断面Ｌ字型の後付け型袖瓦である、請求項１に記載の瓦屋根における袖瓦設置部構造。
【請求項４】
前記通気部材は、前記外方側通気開口面から内方側通気開口面に抜ける細長孔を縦横に連設したものである、請求項１乃至３のいずれかに記載の瓦屋根における袖瓦設置部構造。
【発明の詳細な説明】
【技術分野】
【０００１】
本発明は、瓦屋根における袖瓦設置部構造に関するものであり、より詳細には、瓦下空間部における自然換気が可能な瓦屋根における袖瓦設置部構造に関するものである。
【背景技術】
【０００２】
近時、主に断熱性向上の観点から、屋根材の下側における換気の要請があり、その要請は瓦屋根にも及んでいる。一般に、瓦屋根の瓦葺きの施工は、下葺き材上に、瓦の爪を引っ掛け固定するための瓦桟（横桟）を数列配置すると共に、ケラバ部に沿って瓦桟に直交する登り桟を打着した後、瓦桟に沿って瓦を葺いていき、その端部に配置する袖瓦を、登り桟に固定していく方法によって行われる。この方法によった場合は、瓦下の空間部は、瓦と瓦桟と登り桟とによって閉塞されるため、通気性に欠けるものとなる。
【０００３】
また、登り桟に袖瓦を固定していく際、袖瓦の垂れをきれいに一直線に揃えるために、その内側に位置する瓦の端部を割り落として幅寸法の調整を行うが、その作業は、ミリ単位の微調節作業であって、その場、その場で行う手間のかかる作業となる。
【先行技術文献】
【特許文献】
【０００４】
【特許文献１】特許第３８０６１１５号公報
【特許文献２】特開２００６−１６１３２５号公報
【発明の概要】
【発明が解決しようとする課題】
【０００５】
上述したように、従来の瓦屋根の場合、瓦下の空間部は、瓦と瓦桟と登り桟によって閉塞されるために通気性に欠けるものとなり、また、袖瓦の内側の桟瓦の幅寸法の調整に手間がかかるという問題があった。そこで本発明は、瓦下の空間部における自然換気を可能にし、また、袖瓦の内側の瓦の幅寸法の調整が不要な瓦屋根における袖瓦設置部構造を提供することを課題とする。
【課題を解決するための手段】
【０００６】
上記課題を解決するための請求項１に記載の発明は、下葺き材の端縁から前記下葺き材に設置される破風板の上面にかけて、幅方向に通気可能な棒状の通気部材が定着され、前記通気部材に沿って袖瓦が配設されて成り、
前記通気部材は少なくとも設置時に外方側となる外方側通気開口面が下向きの斜面にされていて、長さ方向端面が逆台形状を呈し且つ前記外方側通気開口面が前記破風板より外に出るように配置され、前記袖瓦は、その垂れの内側面と前記破風板との間に通気間隙が形成されるようにして前記通気部材及び前記下葺き材を介して垂木に固定されることにより、瓦下の空間部が前記通気部材及び前記通気間隙を介して大気に連通可能となっていることを特徴とする瓦屋根における袖瓦設置部構造である。
【０００７】
前記袖瓦は、一実施形態においては垂れを備えた一体型袖瓦であり、他の実施形態においては、断面Ｌ字型の後付け型袖瓦である。
【０００８】
一実施形態における前記通気部材は、前記外方側通気開口面から内方側通気開口面に抜ける細長孔を縦横に連設したものである。
【発明の効果】
【０００９】
本発明は上述したとおりであって、構成簡易且つ施工容易であって、瓦下に十分な通気性を確保して自然換気が可能な瓦屋根における袖瓦設置部構造を提供し得る効果がある。
【図面の簡単な説明】
【００１０】
【図１】本発明に係る袖瓦設置部構造の構成を示す斜視図である。
【図２】本発明に係る袖瓦設置部構造の構成例（一体型袖瓦）を示す縦断面図である。
【図３】本発明に係る袖瓦設置部構造の他の構成例（後付け型袖瓦）を示す縦断面図である。
【図４】本発明に係る袖瓦設置部構造において用いる通気部材の構成例を示す斜視図である。
【発明を実施するための形態】
【００１１】
以下に、本発明を実施するための形態について、添付図面に依拠して説明する。本発明に係る袖瓦設置部構造は、ルーフィングと野路板から成る下葺き材１の端縁から下葺き材１に設置される破風板２の上面にかけて、幅方向に通気可能な棒状の通気部材３が定着され、通気部材３に沿って袖瓦が配設されて構成されるものである。袖瓦としては、桟瓦に垂れ６ａが付いた一体型の袖瓦６を用いる場合（図２参照）と、断面Ｌ字型の後付け型袖瓦７（図３参照）を用いる場合とがある。
【００１２】
先ず、図１及び図２に示される一体型の袖瓦６を用いる場合について説明する。そこにおいて用いられる通気部材３は、外方側通気開口面４から内方側通気開口面５に抜ける細長孔３ａを縦横に連設することにより、外方側通気開口面４と内方側通気開口面５との間で通気可能となる（図４参照）。
【００１３】
通気部材３は、少なくとも設置時に外方側となる外方側通気開口面４が下向きの斜面にされていて（図示した例では、外方側通気開口面４のみが下向き斜面にされている。）、長さ方向端面が逆台形状を呈し且つ外方側通気開口面４が破風板２より外に出るように配置される（図２参照）。通気部材３の高さは、下葺き材１の上に打着される瓦桟１２の高さとほぼ同じにされる。  
【００１４】
袖瓦６は、その垂れ６ａと破風板２との間に、下向き斜面にされた外方側通気開口面４が開口する通気間隙９が形成されるようにして、通気部材３に沿って瓦緊結用釘８で釘止め固定される。かくして、桟瓦１０の下に存在する空間部１１が、通気部材３及び通気間隙９を介して大気に連通することになる。
【００１５】
上記構成の袖瓦設置部構造の施工に当たっては、先ず、下葺き材１の上に瓦桟１２を複数列打着すると共に、下葺き材１の端縁に沿って通気部材３を、両面テープや釘止め等の手段によって定着する（図１参照）。その際、通気部材３の底面端部が破風板２の外側面にほぼ一致するようにし、下向き斜面である外方側通気開口面４が破風板２より外に出るように配置する（図２参照）。
【００１６】
そして、袖瓦６を、その端面（垂れ６ａ）を合わせながら、通気部材３及び下葺き材１を経て垂木１３に達するように、下流側より順次瓦緊結用釘８で釘止めしていく。袖瓦６の端面（垂れ６ａ）を揃えるに当たっては、袖瓦６を通気部材３上において横方向に微動させることになる。その後、袖瓦６の内側に所定数の桟瓦１０を、端部を重ねつつ瓦桟１２に沿って固定していく。
【００１７】
以上のようにして施工された袖瓦設置部構造の場合、桟瓦１０の下の瓦桟１２間に生ずる空間部１１は、通気部材３の内方側通気開口面５に面することになる。しかるに、通気部材３は内方側通気開口面５から外方側通気開口面４に向けて通気可能であり、また、外方側通気開口面４は下向き斜面であって破風板２より外に出ているために、外方側通気開口面４は、破風板２と袖瓦６の垂れ６ａとの間に形成されて大気に通じる通気間隙９に向けて開口することになる。かくして空間部１１は、通気部材３及び通気間隙９を介して大気に連通することになるので、瓦下の空間部１１の通気性が確保され、自然換気が可能となる。
【００１８】
後付け型袖瓦７を用いる実施形態の場合も、一体型の袖瓦６を用いる上記実施形態の場合と基本的に変わりはない。即ち、図３に示されるように、上記実施形態の場合と同様に通気部材３が設置され、その上に桟瓦１０が葺かれる。その場合、桟瓦１０の端部は後付け型袖瓦７に隠れてしまうため、端部合わせをする必要はない。そして、桟瓦１０の端部上に後付け型袖瓦７を、垂れ７ａを揃えて下流側より順次瓦緊結用釘８で釘止めしていく。
【００１９】
この実施形態の場合も、外方側通気開口面４は下向き斜面であって、破風板２より外方に位置するので、外方側通気開口面４は、破風板２と垂れ７ａとの間に形成される通気間隙９に向けて開口することになる。従って、空間部１１は、通気部材３及び通気間隙９を介して大気に連通することになるので、瓦下の空間部１１の通気性が確保され、自然換気が可能となる。
【００２０】
本発明に係る袖瓦設置部構造は、図１乃至３に示されるような、桟瓦１０がフラットな所謂Ｆ型瓦の場合に限らず、Ｊ型瓦やＳ型瓦の場合にも適用可能であることは言うまでもない。
【符号の説明】
【００２１】
１          下葺き材
２          破風板
３          通気部材
３ａ        細長孔
４          外方側通気開口面
５          内方側通気開口面
６          袖瓦（一体型）
６ａ        垂れ
７         後付け型袖瓦
７ａ        垂れ
８          瓦緊結用釘
９          通気間隙
１０        桟瓦
１１        空間部
１２        瓦桟
１３        垂木
【図１】
2019044492.tif 000003
【図２】
2019044492.tif 000004
【図３】
2019044492.tif 000005
【図４】
2019044492.tif 000006